(57)【要約】【課題】ユーザの意に沿ったコンテンツを速やかに出力する。【解決手段】ＳＴＢ（１）は、ユーザを検出する監視部（２１）と、ユーザを検出した場合に、ＴＶ（３）をクイックスタンバイ状態に移行させる外部機器制御部（２４）と、ＳＴＢ（１）を休止状態からクイックスタンバイ状態に移行させるＳＴＢ側状態制御部（２３）と、ＴＶ（３）とＳＴＢ（１）がクイックスタンバイ状態に移行した状態にて受け付けた起動指示の対象を判定するＳＴＢ側コマンド検出部（２２）とを備え、外部機器制御部（２４）は、上記起動指示の対象がＴＶ（３）である場合にはＴＶ（３）に放送コンテンツの出力を開始させ、上記起動指示の対象がＳＴＢ（１）である場合にはＴＶ（３）に外部コンテンツの出力を開始させる。【選択図】図１
2017184065.tif 000002
【特許請求の範囲】
【請求項１】
表示装置と接続され、該表示装置にコンテンツを送信して出力させるソース装置であって、
ユーザの存在を検出する検出部と、
上記検出部がユーザの存在を検出した場合に、上記表示装置を休止状態から起動準備状態に移行させる移行指示部と、
上記検出部がユーザの存在を検出した場合に、上記ソース装置を休止状態から起動準備状態に移行させる状態制御部と、
上記表示装置と上記ソース装置が起動準備状態に移行した状態にて起動指示を受け付けた場合に、該起動指示の対象を判定する対象判定部と、
上記起動指示の対象が上記表示装置であると判定された場合には上記表示装置に放送コンテンツの出力を開始させ、上記起動指示の対象が上記ソース装置であると判定された場合には上記コンテンツの出力を開始させる外部機器制御部と、を備えていることを特徴とするソース装置。
【請求項２】
上記起動準備状態において上記表示装置への上記コンテンツの送信を開始するコンテンツ処理部を備え、
上記外部機器制御部は、上記起動準備状態において上記表示装置に上記放送コンテンツの取得を開始させることを特徴とする請求項１に記載のソース装置。
【請求項３】
上記対象判定部は、上記起動指示の送信元が上記ソース装置の遠隔操作装置であれば、該起動指示の対象がソース装置であると判定し、上記起動指示の送信元が上記表示装置の遠隔操作装置であれば、該起動指示の対象が表示装置であると判定することを特徴とする請求項１または２に記載のソース装置。
【請求項４】
上記外部機器制御部は、上記起動準備状態において、上記表示装置の出力設定を上記ソース装置が送信する上記コンテンツに応じた出力設定に切り替えさせることを特徴とする請求項１から３の何れか１項に記載のソース装置。
【請求項５】
上記移行指示部は、上記検出部がユーザの存在を検出した場合に、上記表示装置を休止状態から起動準備状態に移行させると共に、上記表示装置にコンテンツを送信する他のソース装置も休止状態から起動準備状態に移行させることを特徴とする請求項１から４の何れか１項に記載のソース装置。
【請求項６】
表示装置と接続され、該表示装置にコンテンツを送信して出力させるソース装置であって、
ユーザの存在を検出する検出部と、
上記検出部がユーザの存在を検出した場合に、上記表示装置を休止状態から起動準備状態に移行させる移行指示部と、
上記検出部がユーザの存在を検出した場合に、上記ソース装置を休止状態から起動準備状態に移行させる状態制御部と、
上記表示装置と上記ソース装置が起動準備状態に移行した状態にて、上記表示装置を起動させる所定の条件を充足しているか否かを判定する条件判定部と、
上記条件判定部が上記所定の条件を充足していると判定した場合に、上記表示装置を起動準備状態から起動状態に移行させる外部機器制御部と、を備えていることを特徴とするソース装置。
【請求項７】
上記所定の条件は、現在時刻が所定の時間帯に含まれること、所定の番組が放送中または現在時刻から所定時間以内に放送されること、および現在時刻から所定時間以内に視聴予約済みの放送番組があること、の少なくとも何れかであることを特徴とする請求項６に記載のソース装置。
【請求項８】
放送コンテンツと外部のソース装置から受信した外部コンテンツとを少なくとも含む複数のコンテンツのうち少なくとも何れかを出力する表示装置であって、
ユーザの検出を契機として上記ソース装置が休止状態から起動準備状態に移行した場合に、上記表示装置を休止状態から起動準備状態に移行させる状態制御部と、
上記起動準備状態において、上記ソース装置を介さずに起動指示を受け付けた場合には出力対象を上記放送コンテンツとし、上記ソース装置から起動指示を受け付けた場合には出力対象を上記外部コンテンツとする出力制御部と、を備えていることを特徴とする表示装置。
【請求項９】
上記起動準備状態において上記放送コンテンツの受信を開始する放送受信制御部と、
上記起動準備状態において上記外部コンテンツの受信を開始するコンテンツ取得部と、を備え、
上記出力制御部は、上記起動準備状態において、受信開始した上記放送コンテンツとソース装置から受信開始した上記外部コンテンツとの何れも出力することなく起動指示を待ち受けることを特徴とする請求項８に記載の表示装置。
【請求項１０】
放送コンテンツを出力する表示装置と、上記表示装置と接続され、該表示装置にコンテンツを送信して出力させるソース装置とを含むコンテンツ出力システムであって、
ユーザの存在を検出した場合に、上記表示装置および上記ソース装置を休止状態から起動準備状態に移行させ、
上記表示装置と上記ソース装置が起動準備状態に移行した状態にて起動指示を受け付けた場合に、上記起動指示の対象が上記表示装置であれば上記表示装置に上記放送コンテンツの出力を開始させ、上記起動指示の対象が上記ソース装置であれば上記表示装置に上記コンテンツの出力を開始させることを特徴とするコンテンツ出力システム。
【請求項１１】
放送コンテンツを出力する表示装置と、上記表示装置と接続され、該表示装置にコンテンツを送信して出力させるソース装置とを含むコンテンツ出力システムであって、
ユーザの存在を検出した場合に、上記表示装置および上記ソース装置を休止状態から起動準備状態に移行させ、
上記表示装置と上記ソース装置が起動準備状態に移行した状態にて、上記表示装置を起動させる所定の条件を充足している場合には、上記表示装置を起動準備状態から起動状態に移行させることを特徴とするコンテンツ出力システム。
【請求項１２】
表示装置と接続され、該表示装置にコンテンツを送信して出力させるソース装置の制御方法であって、
ユーザの存在を検出する検出ステップと、
上記検出ステップにてユーザの存在を検出した場合に、上記表示装置を休止状態から起動準備状態に移行させる移行指示ステップと、
上記検出ステップにてユーザの存在を検出した場合に、上記ソース装置を休止状態から起動準備状態に移行させる状態制御ステップと、
上記表示装置と上記ソース装置が起動準備状態に移行した状態にて起動指示を受け付けた場合に、該起動指示の対象を判定する対象判定ステップと、
上記起動指示の対象が上記表示装置であると判定された場合には上記表示装置に放送コンテンツの出力を開始させ、上記起動指示の対象が上記ソース装置であると判定された場合には上記表示装置に上記コンテンツの出力を開始させる外部機器制御ステップと、を含むことを特徴とするソース装置の制御方法。
【請求項１３】
表示装置と接続され、該表示装置にコンテンツを送信して出力させるソース装置の制御方法であって、
ユーザの存在を検出する検出ステップと、
上記検出ステップにてユーザの存在を検出した場合に、上記表示装置を休止状態から起動準備状態に移行させる移行指示ステップと、
上記検出ステップにてユーザの存在を検出した場合に、上記ソース装置を休止状態から起動準備状態に移行させる状態制御ステップと、
上記表示装置と上記ソース装置が起動準備状態に移行した状態にて、上記表示装置を起動させる所定の条件を充足しているか否かを判定する条件判定ステップと、
上記条件判定ステップにて上記所定の条件を充足していると判定された場合に、上記表示装置を起動準備状態から起動状態に移行させる外部機器制御ステップと、を含むことを特徴とするソース装置の制御方法。
【請求項１４】
放送コンテンツと外部のソース装置から受信した外部コンテンツとを少なくとも含む複数のコンテンツのうち少なくとも何れかを出力する表示装置の制御方法であって、
ユーザの検出を契機として上記ソース装置が休止状態から起動準備状態に移行した場合に、上記表示装置を休止状態から起動準備状態に移行させる状態制御ステップと、
上記起動準備状態において、上記ソース装置を介さずに起動指示を受け付けた場合には出力対象を上記放送コンテンツとし、上記ソース装置から起動指示を受け付けた場合には出力対象を上記外部コンテンツとする出力制御ステップと、を含むことを特徴とする表示装置の制御方法。
【請求項１５】
請求項１に記載のソース装置としてコンピュータを機能させるための制御プログラムであって、上記検出部、上記移行指示部、上記状態制御部、上記対象判定部、および上記外部機器制御部としてコンピュータを機能させるための制御プログラム。
【請求項１６】
請求項６に記載のソース装置としてコンピュータを機能させるための制御プログラムであって、上記条件判定部および上記外部機器制御部としてコンピュータを機能させるための制御プログラム。
【請求項１７】
請求項８に記載の表示装置としてコンピュータを機能させるための制御プログラムであって、上記状態制御部および上記出力制御部としてコンピュータを機能させるための制御プログラム。
【請求項１８】
請求項１５から１７の何れか１項に記載の制御プログラムを記録したコンピュータ読み取り可能な記録媒体。
【発明の詳細な説明】
【技術分野】
【０００１】
本発明は、複数種類のソースから取得したコンテンツの少なくとも何れかを出力することのできる表示装置、および該表示装置に上記コンテンツを送信するソース装置等に関する。
【背景技術】
【０００２】
ユーザが所望するタイミングで即座に機器を起動させる従来技術が知られている。例えば、下記の特許文献１には、人感センサが人を検知した場合に、短時間で起動させることができる高速起動モードに移行する録画機器（放送受信アンテナを備えており放送コンテンツを出力する）が開示されている。また、下記の特許文献２にも同様の特徴を備えた放送受信装置が開示されている。
【先行技術文献】
【特許文献】
【０００３】
【特許文献１】特開２０１０−２１９５９１号公報（２０１０年９月３０日公開）
【特許文献２】特開２０１２−１５１９０２号公報（２０１２年８月９日公開）
【発明の概要】
【発明が解決しようとする課題】
【０００４】
ところで、近年では、ＴＶ（テレビジョン受像機）等の放送受信装置に、ゲーム機やレコーダ等の様々な外部機器を接続して、これらの外部機器が出力する外部コンテンツを放送受信装置から出力させる使用態様が一般化している。
【０００５】
しかしながら、上述のような従来技術には、このような外部コンテンツの出力について何ら考慮されていないという問題があった。例えば、特許文献１の録画機器に外部機器が接続されていたとしても、人感センサの検出によって起動するのは録画機器のみであるから、放送コンテンツの出力は速やかに開始できるが、外部コンテンツの出力には時間がかかってしまう。
【０００６】
また、このように複数種類のコンテンツを出力可能である場合には、当該複数種類のコンテンツのうち、ユーザの意に沿ったコンテンツを速やかに出力することが好ましい。しかし、外部コンテンツの出力について考慮されていない上述の従来技術では、ユーザの意に沿ったコンテンツを選択的に出力させることはできない。
【０００７】
本発明は、上記の問題点に鑑みてなされたものであり、その目的は、ユーザの意に沿ったコンテンツを速やかに出力することにある。
【課題を解決するための手段】
【０００８】
上記の課題を解決するために、本発明の一態様に係るソース装置は、表示装置と接続され、該表示装置にコンテンツを送信して出力させるソース装置であって、ユーザの存在を検出する検出部と、上記検出部がユーザの存在を検出した場合に、上記表示装置を休止状態から起動準備状態に移行させる移行指示部と、上記検出部がユーザの存在を検出した場合に、上記ソース装置を休止状態から起動準備状態に移行させる状態制御部と、上記表示装置と上記ソース装置が起動準備状態に移行した状態にて起動指示を受け付けた場合に、該起動指示の対象を判定する対象判定部と、上記起動指示の対象が上記表示装置であると判定された場合には上記表示装置に放送コンテンツの出力を開始させ、上記起動指示の対象が上記ソース装置であると判定された場合には上記コンテンツの出力を開始させる外部機器制御部と、を備えている。
【０００９】
また、本発明の一態様に係る表示装置は、上記の課題を解決するために、放送コンテンツと外部のソース装置から受信した外部コンテンツとを少なくとも含む複数のコンテンツのうち少なくとも何れかを出力する表示装置であって、ユーザの検出を契機として上記ソース装置が休止状態から起動準備状態に移行した場合に、上記表示装置を休止状態から起動準備状態に移行させる状態制御部と、上記起動準備状態において、上記ソース装置を介さずに起動指示を受け付けた場合には出力対象を上記放送コンテンツとし、上記ソース装置から起動指示を受け付けた場合には出力対象を上記外部コンテンツとする出力制御部と、を備えている。
【００１０】
そして、本発明の一態様に係るコンテンツ出力システムは、上記の課題を解決するために、放送コンテンツを出力する表示装置と、上記表示装置と接続され、該表示装置にコンテンツを送信して出力させるソース装置とを含むコンテンツ出力システムであって、ユーザの存在を検出した場合に、上記表示装置および上記ソース装置を休止状態から起動準備状態に移行させ、上記表示装置と上記ソース装置が起動準備状態に移行した状態にて起動指示を受け付けた場合に、上記起動指示の対象が上記表示装置であれば上記表示装置に上記放送コンテンツの出力を開始させ、上記起動指示の対象が上記ソース装置であれば上記表示装置に上記コンテンツの出力を開始させる。
【００１１】
また、本発明の一態様に係るソース装置の制御方法は、上記の課題を解決するために、表示装置と接続され、該表示装置にコンテンツを送信して出力させるソース装置の制御方法であって、ユーザの存在を検出する検出ステップと、上記検出ステップにてユーザの存在を検出した場合に、上記表示装置を休止状態から起動準備状態に移行させる移行指示ステップと、上記検出ステップにてユーザの存在を検出した場合に、上記ソース装置を休止状態から起動準備状態に移行させる状態制御ステップと、上記表示装置と上記ソース装置が起動準備状態に移行した状態にて起動指示を受け付けた場合に、該起動指示の対象を判定する対象判定ステップと、上記起動指示の対象が上記表示装置であると判定された場合には上記表示装置に放送コンテンツの出力を開始させ、上記起動指示の対象が上記ソース装置であると判定された場合には上記表示装置に上記コンテンツの出力を開始させる外部機器制御ステップと、を含む。
【００１２】
そして、本発明の一態様に係る表示装置の制御方法は、上記の課題を解決するために、放送コンテンツと外部のソース装置から受信した外部コンテンツとを少なくとも含む複数のコンテンツのうち少なくとも何れかを出力する表示装置の制御方法であって、ユーザの検出を契機として上記ソース装置が休止状態から起動準備状態に移行した場合に、上記表示装置を休止状態から起動準備状態に移行させる状態制御ステップと、上記起動準備状態において、上記ソース装置を介さずに起動指示を受け付けた場合には出力対象を上記放送コンテンツとし、上記ソース装置から起動指示を受け付けた場合には出力対象を上記外部コンテンツとする出力制御ステップと、を含む。
【発明の効果】
【００１３】
本発明の上記各態様によれば、ユーザの意に沿ったコンテンツを速やかに出力することができるという効果を奏する。
【図面の簡単な説明】
【００１４】
【図１】本発明の実施形態１に係るＳＴＢとＴＶの要部構成の一例を示すブロック図である。
【図２】上記ＳＴＢと上記ＴＶとを含むコンテンツ出力システムの概要を示すである。
【図３】上記ＳＴＢが実行する処理のうち、各実施形態の処理の前提となる処理例を示すフローチャートである。
【図４】上記ＳＴＢが実行する処理の一例を示すフローチャートである。
【図５】人感センサによるユーザの検出を契機として移行したクイックスタンバイ状態からＴＶを起動させた直後の入力設定の設定画面の一例を示す図である。
【図６】本発明の実施形態２に係るＳＴＢが実行する処理の一例を示すフローチャートである。
【図７】上記ＳＴＢのクイックスタンバイ状態への移行と連動して動作状態を移行させる連携機器を設定する設定画面の一例を示す図である。
【図８】本発明の実施形態３に係るＳＴＢが実行する処理の一例を示すフローチャートである。
【図９】自動起動の可否を設定する設定画面の一例を示す図である。
【発明を実施するための形態】
【００１５】
〔実施形態１〕
（システムの概要）
図２に基づいて、本実施形態に係るコンテンツ出力システム１００の概要について説明する。図２は、コンテンツ出力システム１００の概要を示す図である。図示のように、コンテンツ出力システム１００は、ＳＴＢ（Set Top Box）１と、ＴＶ（テレビジョン受像機）３と、を含む。コンテンツ出力システム１００では、ＳＴＢ１とＴＶ３がＨＤＭＩ（High Definition Multimedia Interface、登録商標）ケーブルにて接続されており、ＳＴＢ１はＴＶ３に対してコンテンツ（以下、外部コンテンツと呼ぶ）を送信して出力させることができる。また、ＴＶ３は、放送コンテンツを受信して出力することができる。
【００１６】
ＳＴＢ１は、上記の通り、ＴＶ３に外部コンテンツを送信して出力させるソース装置である。ＳＴＢ１は、ＴＶ３とは異なるコンテンツを出力するものであればよく、例えばゲーム機、レコーダ、あるいはインターネット上のコンテンツを出力する機器等であってもよい。インターネット上のコンテンツは、例えば動画像コンテンツや、ゲーム等であってもよく、ＳＴＢ１が実行可能なアプリケーションソフトウェア等であってもよい。このようなコンテンツは、一般的に出力機器起動してから出力可能な状態となるまでの時間が長くなることが多い。しかし、本実施形態のＳＴＢ１は後述のクイックスタンバイ状態へ移行することにより、このようなコンテンツであっても速やかに出力することが可能になっている。
【００１７】
なお、ＴＶ３がチューナーを備えており、放送コンテンツを受信する機能を備えているため、ＳＴＢ１はチューナーを備えていなくともよい。ただし、ＴＶ３とは異なる放送コンテンツ（例えば衛星放送コンテンツ）を受信するチューナー等のように、ＴＶ３とは異なるコンテンツを取得するための構成は備えていてもよい。また、ＳＴＢ１は、ＨＤＭＩ接続されたＴＶ３にＣＥＣ（Consumer Electronics Control）コマンドと呼ばれる制御信号を送信してその動作を制御することもできる。
【００１８】
ＴＶ３は、放送コンテンツを出力する表示装置であり、上記の通り、ＳＴＢ１から送信された外部コンテンツも出力する。なお、ＴＶ３は、基本的には、放送コンテンツ、外部コンテンツ、およびこれらとは異なる別のコンテンツ（例えばＴＶ３の内部に記録された内部コンテンツなど）を択一で、つまり上記のコンテンツの何れか一つを出力する。ただし、ＴＶ３は、表示画面を分割して上記のコンテンツの中から複数のコンテンツを同時に出力する機能を備えていてもよい。また、ＴＶ３は、ＳＴＢ１と同様に、ＨＤＭＩ接続されたＳＴＢ１に制御信号を送信してその動作を制御することもできる。
【００１９】
続いて、コンテンツ出力システム１００の動作例を説明する。まず、同図の（ａ）において、ＳＴＢ１およびＴＶ３は、ともに休止状態にある。ここで、休止状態は電源から電力が供給されているが、ユーザ操作を受け付ける処理部等の一部の構成要素を除き、概ね全ての処理部が起動していない状態である。休止状態では、制御部等の消費電力の比較的大きい処理部が起動していないため、休止状態の消費電力は、全ての動作モードの中で最も低くなっている。
【００２０】
ここで、ユーザがＳＴＢ１に近づくと、同図の（ｂ）に示すように、ＳＴＢ１およびＴＶ３は、ともにクイックスタンバイ状態へ移行する。具体的には、ＳＴＢ１の備える人感センサがユーザに反応すると、ＳＴＢ１は、クイックスタンバイ状態へ移行すると共に、ＴＶ３にクイックスタンバイ状態への移行指示を送信し、これによりＴＶ３もクイックスタンバイ状態に移行する。ここで、ＴＶ３のクイックスタンバイ状態は、表示部を除く各処理部が起動した状態であり、ＳＴＢ１のクイックスタンバイ状態は、ＳＴＢ１の動作状態を点灯状態で示すインジケータ等を除く各処理部が起動した状態である。クイックスタンバイ状態は、休止状態よりも消費電力は大きくなるが、概ね全ての処理部が起動している起動準備状態である。このため、クイックスタンバイ状態への移行完了後には、速やかにコンテンツを出力することが可能である。そして、両機器がクイックスタンバイ状態に移行すると、ＳＴＢ１とＴＶ３との間でハンドシェイクを行ってＨＤＭＩ接続を確立し、これにより、ＳＴＢ１とＴＶ３との間で外部コンテンツを送受信可能な状態となる。
【００２１】
同図の（ｃ）に示すように、ユーザは、ＳＴＢ１のコンテンツ（外部コンテンツ）の視聴を所望する場合、ＳＴＢリモコン２を操作してＳＴＢ１に対して起動操作を行う。ＳＴＢ１は、この起動操作に従って起動状態に移行すると共に、ＴＶ３に起動指示を送信し、これによりＴＶ３も起動状態に移行する。この起動状態への移行は、クイックスタンバイ状態からの移行であるから、短時間で完了し、ＴＶ３にはＳＴＢ１から受信した情報、すなわち外部コンテンツが瞬時に表示される。なお、ＴＶ３の起動状態は、コンテンツを出力するために必要な各処理部が起動した状態であり、ＳＴＢ１の起動状態は、上述のインジケータが点灯し、各処理部が起動した状態である。
【００２２】
一方、同図の（ｄ）に示すように、ユーザは、ＴＶ３のコンテンツ（放送コンテンツ）の視聴を所望する場合、ＴＶリモコン４を操作してＴＶ３に対して起動操作を行う。この起動操作は、ＳＴＢ１においても検出され、ＳＴＢ１はこの検出に応じて起動状態に移行すると共に、ＴＶ３に対し、ＴＶ３が最後に出力したチャンネル（以下、ラストチャンネルと呼ぶ）の放送コンテンツを出力するように指示する。この場合も上記（ｃ）の場合と同様に、ＴＶ３はクイックスタンバイ状態から起動状態に移行するから、この移行に要する時間は短時間で済み、ＴＶ３にはラストチャンネルの放送コンテンツが瞬時に表示される。
【００２３】
また、同図の（ｅ）に示すように、ユーザがＳＴＢ１およびＴＶ３のどちらも起動する意図がなく、ＳＴＢ１の人感センサの検出範囲外へ移動すると、ＳＴＢ１は、ＴＶ３に対して休止状態への移行指示を送信し、ＳＴＢ１も休止状態へ移行する。これにより、ＳＴＢ１とＴＶ３の双方が休止状態に移行する。
【００２４】
以上のように、コンテンツ出力システム１００は、ユーザの検出時にＳＴＢ１およびＴＶ３の双方がクイックスタンバイ状態へ移行する。そして、ユーザがＳＴＢ１に対して起動指示を行った場合には外部コンテンツをＴＶ３に出力させ、ユーザがＴＶ３に対して起動指示を行った場合には放送コンテンツをＴＶ３に出力させる。よって、ユーザの意に沿ったコンテンツを速やかに出力することができる。
【００２５】
（各装置の要部構成）
次に、ＳＴＢ１とＴＶ３の要部構成について、図１を用いて説明する。図１は、ＳＴＢ１とＴＶ３の要部構成の一例を示すブロック図である。また、同図では、ＳＴＢ１を遠隔操作する遠隔操作装置であるＳＴＢリモコン２、ＴＶ３を遠隔操作する遠隔操作装置であるＴＶリモコン４、およびＳＴＢ１以外のソース装置である連携機器５についても図示している。なお、ＳＴＢ１とＴＶ３とは近距離に配置されることが多いので、図示のように、ＳＴＢリモコン２が送信する信号はＳＴＢ１とＴＶ３の両方に受信され得る。同様に、ＴＶリモコン４が送信する信号もＳＴＢ１とＴＶ３の両方に受信され得る。
【００２６】
連携機器５は、ＳＴＢ１と同様にしてＴＶ３とＨＤＭＩ接続されており、ＳＴＢ１とは異なる外部コンテンツをＴＶ３に送信して出力させる。連携機器５は、ＳＴＢ１とは異なるコンテンツを出力するものであればよく、例えばゲーム機、レコーダ、あるいはインターネット上のコンテンツを取得して出力する機器等であってもよい。
【００２７】
（ＳＴＢの構成）
ＳＴＢ１は、ＳＴＢリモコン信号受信部１１、ＳＴＢ側ＨＤＭＩ通信部１２、人感センサ１３、通信部１４、ＳＴＢ記憶部１５、およびＳＴＢ制御部２０を備えている。そして、ＳＴＢ制御部２０は、監視部（検出部）２１、ＳＴＢ側コマンド検出部（対象判定部）２２、ＳＴＢ側状態制御部（状態制御部）２３、外部機器制御部（移行指示部）２４、ＳＴＢ側接続制御部２５、およびコンテンツ処理部２６を含む。
【００２８】
ＳＴＢリモコン信号受信部１１は、リモコンから送信された信号を受信するものである。また、ＳＴＢ側ＨＤＭＩ通信部１２は、ＨＤＭＩ接続された機器（ＴＶ３や連携機器５等）との間でコンテンツや制御信号を送受信するものである。そして、人感センサ１３は、ＳＴＢ１の近くにいるユーザを検出するセンサである。また、通信部１４は、例えばインターネット等の通信ネットワークを通じてＳＴＢ１の外部よりコンテンツを取得するものである。なお、ＳＴＢ１がＳＴＢ記憶部１５に記憶したコンテンツを出力する構成である場合には、通信部１４は省略してもよい。ＳＴＢ記憶部１５は、ＳＴＢ１にて扱われる各種データを記憶する。ＳＴＢ１制御部２０は、ＳＴＢ１の各部を統括して制御する。
【００２９】
監視部２１は、ユーザの存在を検出する。具体的には、監視部２１は、人感センサ１３の検出結果を元に、ＳＴＢ１の近くにユーザがいるか否かを監視し、ユーザの存在を検出する。監視部２１がユーザを検出したことを契機としてＳＴＢ１とＴＶ３の双方がクイックスタンバイ状態に移行する。
【００３０】
ＳＴＢ側コマンド検出部２２は、ＳＴＢリモコン信号受信部１１がリモコンから受信した信号からコマンドを検出する。また、ＳＴＢ側コマンド検出部２２は、検出したコマンドが何れの機器を対象としたコマンドであるかを判定する。具体的には、ＳＴＢ側コマンド検出部２２は、送信元がＳＴＢリモコン２である信号から検出したコマンドは、ＳＴＢ１を対象としたコマンドであると判定する。一方、送信元がＴＶリモコン４である信号から検出したコマンドは、ＴＶ３を対象としたコマンドであると判定する。
【００３１】
ＳＴＢ側状態制御部２３は、ＳＴＢ１の動作状態の移行を制御する。なお、ＳＴＢ側状態制御部２３の制御対象となるＳＴＢ１の動作状態は、上述の休止状態、クイックスタンバイ状態、および起動状態の３つである。
【００３２】
外部機器制御部２４は、ＳＴＢ１とＨＤＭＩ接続された機器（ＴＶ３や連携機器５等）の動作を制御する。外部機器制御部２４による動作制御の詳細は後述する。
【００３３】
ＳＴＢ側接続制御部２５は、ＳＴＢ１と外部機器（ＴＶ３等）とのＨＤＭＩ接続を確立する処理を行う。より詳細には、ＳＴＢ側接続制御部２５は、ＴＶ３のＴＶ側接続制御部４３と所定の情報を送受信してハンドシェイクし、これによりＳＴＢ１はＴＶ３に対して外部コンテンツを送信可能な状態となる。
【００３４】
コンテンツ処理部２６は、ＳＴＢ側ＨＤＭＩ通信部１２を介して外部コンテンツをＴＶ３に送信する。詳細は後述するが、コンテンツ処理部２６は、クイックスタンバイ状態においてＴＶ３への外部コンテンツの送信を開始する。
【００３５】
（ＴＶの構成）
ＴＶ３は、ＴＶリモコン信号受信部３１、ＴＶ側ＨＤＭＩ通信部３２、表示部３３、ＴＶ記憶部３４、チューナー３５、およびＴＶ制御部４０を備えている。また、ＴＶ制御部４０は、ＴＶ側コマンド検出部４１、ＴＶ側状態制御部４２、ＴＶ側接続制御部４３、出力制御部４４、コンテンツ取得部４５、および放送受信制御部４６を含む。
【００３６】
ＴＶリモコン信号受信部３１は、リモコンから送信された信号を受信する。また、ＴＶ側ＨＤＭＩ通信部３２は、ＨＤＭＩ接続された機器（ＳＴＢ１や連携機器５等）との間でコンテンツや制御信号を送受信するためのものである。表示部３３は、画像を表示するものであり、例えば、放送コンテンツ、外部コンテンツ、および各種設定画面等の画像が表示部３３に表示される。ＴＶ記憶部３４は、ＴＶ３にて扱われる各種データを記憶する。チューナー３５は、図示しないアンテナにて受信した放送信号から所要のチャンネルの放送信号を選択して受信し、放送コンテンツとして出力する。なお、チューナー３５はＴＶ３の外部に外付けされたものであってもよい。ＴＶ制御部４０は、ＴＶ３の各部を統括して制御する。
【００３７】
ＴＶ側コマンド検出部４１は、ＴＶリモコン信号受信部３１がリモコンから受信した信号からコマンドを検出する。また、ＴＶ側コマンド検出部４１は、ＳＴＢ側コマンド検出部２２と同様にして何れの機器を対象としたコマンドであるかを判定し、ＴＶ３を対象としたコマンドである場合には検出したコマンドに応じた処理部に該コマンドを送信する。
【００３８】
ＴＶ側状態制御部４２は、ＴＶ３の動作状態の移行を制御する。なお、ＴＶ側状態制御部４２の制御対象となるＴＶ３の動作状態は、上述の休止状態、クイックスタンバイ状態、および起動状態の３つである。
【００３９】
ＴＶ側接続制御部４３は、ＴＶ３と外部機器（ＳＴＢ１や連携機器５等）とのＨＤＭＩ接続を確立する処理を行う。より詳細には、ＴＶ側接続制御部４３は、ＳＴＢ１のＳＴＢ側接続制御部２５と所定の情報を送受信してハンドシェイクし、これによりＴＶ３はＳＴＢ１から外部コンテンツを受信可能な状態となる。
【００４０】
出力制御部４４は、ＴＶ３の入力切り替えに関する制御を行う。具体的には、出力制御部４４は、チューナー３５が出力する放送コンテンツを出力するか、外部入力であるＳＴＢ１から受信する外部コンテンツを出力するかを切り替える。
【００４１】
コンテンツ取得部４５は、外部コンテンツを取得する。具体的には、コンテンツ取得部４５は、ＴＶ側ＨＤＭＩ通信部３２を介してＳＴＢ１や連携機器５から外部コンテンツを取得し、出力制御部４４へ出力する。
【００４２】
放送受信制御部４６は、チューナー３５による放送の受信を制御する。具体的には、放送受信制御部４６は、チューナー３５が受信するチャンネルを選択し、この選択に応じてチューナー３５が出力する放送コンテンツを出力制御部４４に送信する。
【００４３】
（前提となる処理の流れ）
次に、本発明の各実施形態の前提となるＳＴＢ１の処理について、図３に基づいて説明する。図３は、ＳＴＢ１が実行する処理のうち、各実施形態の処理の前提となる処理例を示すフローチャートである。なお、図示していないが、以下ではＴＶ３の実行する処理についても併せて説明する。
【００４４】
ＳＴＢ１およびＴＶ３が、ともに休止状態であるとき（Ｓ１）に、監視部２１は人感センサ１３による人の検出を待ち受けている（Ｓ２、検出ステップ）。そして、監視部２１が人感センサ１３の出力から人を検出したと判定すると（Ｓ２でＹＥＳ）、ＳＴＢ側状態制御部２３は、ＳＴＢ１の動作状態をクイックスタンバイ状態に移行させる（Ｓ３、状態制御ステップ）。
【００４５】
また、外部機器制御部２４は、クイックスタンバイ状態への移行指示を、ＳＴＢ側ＨＤＭＩ通信部１２を介してＴＶ３へ送信する（Ｓ４、移行指示ステップ）。そして、この指示を受信したＴＶ３では、ＴＶ側状態制御部４２がＴＶ３をクイックスタンバイ状態に移行させる（状態制御ステップ）。
【００４６】
そして、ＳＴＢ１およびＴＶ３がともにクイックスタンバイ状態へ移行すると、ＳＴＢ側接続制御部２５は、ＳＴＢ１とＴＶ３との間にＨＤＭＩ接続を確立する（Ｓ５）。なお、クイックスタンバイ状態において、外部機器制御部２４は、ＴＶ３の出力設定を、外部コンテンツに応じたものに切り替えさせることが好ましい。切り替える出力設定は、特に限定されないが、例えば入力設定（外部コンテンツを出力するか放送コンテンツを出力するか）、出力音量、画面サイズ（フルスクリーン、アンダースキャン等）、画質等の設定（ＡＶポジション）等であってもよい。
【００４７】
Ｓ５の後、ＳＴＢ側コマンド検出部２２は、ＳＴＢリモコン２から起動指示を受信したか否かを判定する（Ｓ６）。そして、ＳＴＢリモコン２からの起動指示を受信したと判定した場合（Ｓ６でＹＥＳ）、ＳＴＢ側状態制御部２３および外部機器制御部２４は、ＳＴＢ１およびＴＶ３をそれぞれ起動状態に移行させる（Ｓ７）。具体的には、ＳＴＢ側状態制御部２３は、ＳＴＢ１を起動状態に移行させる。また、外部機器制御部２４は、ＴＶ３に起動指示を送信し、ＴＶ３のＴＶ側状態制御部４２は、この指示に従ってＴＶ３を起動状態に移行させる。
【００４８】
一方、ＳＴＢ側コマンド検出部２２が起動指示を受信していないと判定した場合（Ｓ６でＮＯ）、起動状態への移行は行われず、処理はＳ８に進む。Ｓ８では、監視部２１が、人感センサ１３の出力から人を検出したか否かを判定する（Ｓ８）。
【００４９】
Ｓ８において監視部２１が人を検出したと判定した場合（Ｓ８でＹＥＳ）、処理はＳ６へ戻る。一方、監視部２１が人を検出しなかった場合（Ｓ８でＮＯ）、ＳＴＢ側状態制御部２３は、ＳＴＢ１の動作状態を休止状態に移行させる（Ｓ９）。また、外部機器制御部２４は、ＴＶ３に休止状態への移行指示を送信する（Ｓ１０）。これにより、ＴＶ側状態制御部４２はＴＶ３を休止状態に移行させ、ＳＴＢ１およびＴＶ３は、ともに休止状態に戻る（Ｓ１）。なお、ＴＶ３の出力設定を、外部コンテンツに応じたものに切り替えていた場合、ＴＶ３を休止状態に戻す際には、外部機器制御部２４は、切り替え前の出力設定に戻すように指示しておく。
【００５０】
このように、ユーザが人感センサ１３で検出されなくなったときには、ＳＴＢ１とＴＶ３の双方が休止状態に戻るので、クイックスタンバイ状態となっている期間は、ユーザが検出されている期間に限られる。よって、休止状態よりも消費電力が増加するクイックスタンバイ状態となる期間を必要最小限とすることができる。そして、ユーザが起動指示を行った場合には、クイックスタンバイ状態のＳＴＢ１およびＴＶ３を起動状態に移行させて外部コンテンツを速やかに出力することができる。また、ＴＶ３の入力設定を、放送コンテンツとしておくことにより、起動時に放送コンテンツ（例えばラストチャンネルの放送コンテンツ）を出力させることもできる。
【００５１】
（処理の流れ）
本実施形態においてＳＴＢ１が実行する処理（ソース装置の制御方法）の流れについて、図４に基づいて説明する。図４は、ＳＴＢ１が実行する処理の一例を示すフローチャートである。なお、図３と同様の処理には同一の番号を付し、その説明は適宜省略する。また、図示していないが、以下ではＴＶ３の実行する処理（表示装置の制御方法）についても併せて説明する。
【００５２】
Ｓ５の後、外部機器制御部２４は、ラストチャンネルを受信開始するようにＴＶ３に指示する。また、コンテンツ処理部２６は、外部コンテンツのＴＶ３への送信を開始する。そして、ＴＶ３では、コンテンツ取得部４５が外部コンテンツの受信を開始し、放送受信制御部４６がラストチャンネルの放送コンテンツの受信を開始する。ただし、この時点ではＴＶ３に対して起動指示を送信していないので、出力制御部４４は、外部コンテンツと放送コンテンツの何れも出力することなく待機する。これらの処理により、ＴＶ３では、ラストチャンネルとＨＤＭＩ入力、すなわち外部コンテンツとの両方が受信状態となり（Ｓ２１）、処理はＳ６に進む。
【００５３】
Ｓ６では、ＳＴＢ側コマンド検出部２２は、起動指示の受信の有無を判定する。そして、起動指示を受信したと判定した場合（Ｓ６でＹＥＳ）、ＳＴＢ側コマンド検出部２２は、起動指示を送信したのはＳＴＢリモコン２であるか否かをさらに判定する（Ｓ２２、対象判定ステップ）。なお、ＴＶリモコン４にて起動指示を行った場合、該指示を受信したＴＶ３では、ＴＶ側状態制御部４２は、ＴＶ３を起動状態に移行させることなく、クイックスタンバイ状態を維持して、ＳＴＢ１からの起動指示を待ち受ける。
【００５４】
ＳＴＢ側コマンド検出部２２が、起動指示の送信元がＳＴＢリモコン２であると判定した場合（Ｓ２２でＹＥＳ）、外部機器制御部２４は、ＳＴＢ側ＨＤＭＩ通信部１２を介して、入力をＨＤＭＩ入力に切り替えるようＴＶ３に指示を送信する（Ｓ２３）。そして、この指示を受信したＴＶ３では、出力制御部４４が入力切り替えを行い、外部コンテンツが出力されるようにする（出力制御ステップ）。これにより、Ｓ７（外部機器制御ステップ）にてＴＶ３を起動状態に移行させることにより、ＴＶ３の表示部３３には外部コンテンツの表示が開始される。
【００５５】
一方、ＳＴＢ側コマンド検出部２２が、起動指示の送信元がＳＴＢリモコン２ではない、つまりＴＶリモコン４であると判定した場合（Ｓ２２でＮＯ）、外部機器制御部２４は、入力をラストチャンネルに切り替えるようＴＶ３に指示を送信する（Ｓ２４）。そして、この指示を受信したＴＶ３では、出力制御部４４が入力切り替えを行い、放送コンテンツが出力されるようにする。これにより、Ｓ７（外部機器制御ステップ）にてＴＶ３を起動状態に移行させることにより、ＴＶ３の表示部３３にはラストチャンネルの放送コンテンツの表示が開始される。
【００５６】
以上の処理により、図２の例のように、ユーザがＳＴＢリモコン２にて起動指示を行った場合にはＴＶ３に外部コンテンツを瞬時に出力させ、ＴＶ３にて起動指示を行った場合には放送コンテンツ（ラストチャンネル）を瞬時に出力させることができる。
【００５７】
なお、上述の処理において、ＴＶリモコン４にて起動指示を行った場合、該指示を受信したＴＶ３では、ＴＶ側状態制御部４２は、ＴＶ３を起動状態に移行させてもよい。この場合、ＴＶ３の出力制御部４４は、放送コンテンツまたは外部コンテンツの出力を開始した後、上記Ｓ２３またはＳ２４のＳＴＢ１からの指示に従って、必要に応じて出力切替を行う。
【００５８】
（ＴＶ側での入力切り替え判定）
上記では、ＳＴＢ１が何れのリモコンからの起動指示であるかの判定結果に従ってＴＶ３の入力切り替えを行う例を説明したが、入力切り替えのための判定はＴＶ３が行ってもよい。
【００５９】
例えば、ＴＶ３の出力制御部４４は、起動指示を受け付けた場合に、その起動指示がＳＴＢ１を介さずに受け付けたものであるか否かに応じて入力切り替えを行ってもよい。具体的には、出力制御部４４は、クイックスタンバイ状態において、ＳＴＢ１を介さずに起動指示を受け付けたと判定した場合（例えばＴＶリモコン４から起動指示を受け付けた場合）、出力対象を放送コンテンツとしてもよい。これは、ＳＴＢ１を介さずに起動指示を受け付けた場合には、ユーザには外部コンテンツを出力させる意図がない可能性が高いためである。
【００６０】
一方、ＳＴＢ１を介して起動指示を受け付けたと判定した場合（例えばＳＴＢリモコン２からの起動指示を受け付けたＳＴＢ１の外部機器制御部２４からの起動指示を受け付けた場合）、出力対象を外部コンテンツとしてもよい。これは、ＳＴＢ１から起動指示を受け付けた場合には、ユーザが、外部コンテンツを出力させる意図をもっている可能性が高いためである。
【００６１】
（起動直後に出力するコンテンツについて）
上記では、起動指示の送信元がＳＴＢリモコン２であるか否かに応じたコンテンツを出力させる例を説明したが、何れのコンテンツを出力させるかの判定基準はこの例に限られない。
【００６２】
例えば、ユーザの事前設定に従って何れのコンテンツを出力させるかを決定してもよい。この場合、例えば図５のような画面をＴＶ３に表示させて、何れのコンテンツを出力させるかをユーザに設定させてもよい。図５は、人感センサ１３によるユーザの検出を契機として移行したクイックスタンバイ状態からＴＶ３を起動させた直後の入力設定の設定画面の一例を示す図である。図示の例では、「外部機器センサによる起動直後の入力設定」の選択肢として、「外部機器入力（ＨＤＭＩ）」と「通常（ラストチャンネル）」の２つが表示されている。このような設定画面は、ＴＶ３が表示させてもよいし、ＳＴＢ１がＴＶ３に表示させてもよい。
【００６３】
この設定画面において、「外部機器入力（ＨＤＭＩ）」が選択された場合、ＴＶ３の出力制御部４４は、起動時に外部コンテンツを出力する設定を記憶しておく。そして、起動指示の受信時において、出力制御部４４は、起動指示の出所が何れであるかにかかわらず、ＳＴＢ１から受信している外部コンテンツが出力開始されるようにする。
【００６４】
また、上記設定画面において、「通常（ラストチャンネル）」が選択された場合には、ＴＶ３の出力制御部４４は、起動時にラストチャンネルの放送コンテンツを出力する設定を記憶しておく。そして、起動指示の受信時において、出力制御部４４は、起動指示の出所が何れであるかにかかわらず、ラストチャンネルの放送コンテンツが出力開始されるようにする。
【００６５】
なお、上記の各場合において、起動指示をＳＴＢ１が受け付けたときには、ＳＴＢ１の外部機器制御部２４がＴＶ３に起動指示を送信し、ＴＶ側状態制御部４２は、この指示の受信を契機としてＴＶ３を起動状態とする。
【００６６】
一方、上記の各場合において、起動指示をＴＶ３が受け付けたときには、ＴＶ側状態制御部４２は、この指示の受信を契機としてＴＶ３を起動状態とする。この場合、ＴＶ３のＴＶ側状態制御部４２は、ＴＶ３を起動状態に移行させる旨をＳＴＢ１に通知してもよい。特に、放送コンテンツの出力を開始する場合には、その旨についてもＳＴＢ１に通知し、ＳＴＢ側状態制御部２３は、この通知の受信を契機としてＳＴＢ１を休止状態に移行させてもよい。これにより、放送コンテンツの視聴時におけるＳＴＢ１の消費電力を低減することができる。
【００６７】
〔実施形態２〕
本発明の実施形態２について、図６に基づいて説明する。本実施形態のＳＴＢ１は、外部機器制御部２４が、ＴＶ３だけではなく連携機器５の動作状態も移行させる点が、上記実施形態のＳＴＢ１との相違点である。なお、説明の便宜上、前記実施形態にて説明した部材と同じ機能を有する部材については、同じ符号を付記し、その説明を省略する。
【００６８】
（処理の流れ）
本実施形態においてＳＴＢ１が実行する処理の流れについて、図６に基づいて説明する。図６は、ＳＴＢ１が実行する処理の一例を示すフローチャートである。なお、図３と同様の処理には同一の番号を付し、その説明は適宜省略する。
【００６９】
ＳＴＢ１、ＴＶ３、および連携機器５が、何れも休止状態であるとき（Ｓ３１）に、監視部２１は人感センサによる人の検出を待ち受けている（Ｓ２）。そして、監視部２１が人感センサ１３の出力から人を検出したと判定すると（Ｓ２でＹＥＳ）、図３と同様にＳ３の処理に進む。Ｓ３の後、外部機器制御部２４は、クイックスタンバイ状態への移行指示をＴＶ３および連携機器５へ送信する（Ｓ３２）。そして、この指示を受信したＴＶ３は、上記実施形態で説明したようにしてクイックスタンバイ状態に移行し、同様にして連携機器５もクイックスタンバイ状態に移行する。
【００７０】
クイックスタンバイ状態に移行した後、ＳＴＢ１が起動指示を受信したと判定した場合（Ｓ６でＹＥＳ）、ＳＴＢ側状態制御部２３および外部機器制御部２４は、ＳＴＢ１、ＴＶ３、および連携機器５をそれぞれ起動状態に移行させる（Ｓ３３）。具体的には、ＳＴＢ側状態制御部２３は、ＳＴＢ１を起動状態に移行させる。また、外部機器制御部２４は、ＴＶ３および連携機器５に起動指示を送信し、ＴＶ３は上記実施形態で説明したようにして起動状態に移行し、同様にして連携機器５も起動状態に移行する。
【００７１】
一方、起動指示を受信せず（Ｓ６でＮＯ）、かつ、人が検出されなくなった場合（Ｓ８でＮＯ）、ＳＴＢ１は休止状態に移行する（Ｓ９）。そして、外部機器制御部２４は、ＴＶ３および連携機器５に休止状態への移行指示をＴＶ３および連携機器５へ送信する（Ｓ３４）。これにより、ＴＶ３は上記実施形態で説明したようにして休止状態に移行し、同様にして連携機器５も休止状態に移行する。つまり、ＳＴＢ１、ＴＶ３、および連携機器５は、何れも休止状態に戻る（Ｓ１）。
【００７２】
以上の処理によれば、人感センサが人を検出するとＳＴＢ１、ＴＶ３、および連携機器５をクイックスタンバイ状態に移行させる。そして、ユーザがリモコンにて起動指示を行った場合にはＳＴＢ１、ＴＶ３、および連携機器５を起動状態に移行させる。よって、ＳＴＢ１、ＴＶ３、および連携機器５の何れのコンテンツであっても、起動指示の受信後、速やかにＴＶ３に出力させることができる。
【００７３】
（連携機器ごとのクイックスタンバイ設定について）
上記では、ＴＶ３と通信可能に接続された全ての連携機器５について、ＳＴＢ１と連動させて動作状態を移行させる例を説明したが、所定の連携機器５についてのみ動作状態を移行させてもよい。例えば、動作状態を移行させる連携機器５をユーザが事前に設定できるようにしてもよい。これについて図７に基づいて説明する。
【００７４】
図７は、ＳＴＢ１のクイックスタンバイ状態への移行と連動して動作状態を移行させる連携機器５を設定する設定画面の一例を示す図である。図示の例では、「ＨＤＭＩ連携機器  クイックスタンバイ設定」として、ＴＶ３に接続された３つの連携機器５（機器の名称はそれぞれ「ＴＶ  ＬＣ−ＸＸＸＸ」、「ＢＤ  ＰＬＡＹＥＲ」、および「ＳＨＸＸ」）が表示されている。なお、「ＴＶ  ＬＣ−ＸＸＸＸ」はＴＶ３、「ＢＤ  ＰＬＡＹＥＲ」はブルーレイディスクのプレーヤー、「ＳＨＸＸ」はゲーム機である。このように、ＴＶ３をクイックスタンバイ状態に移行させるか否かも設定できるようにしてもよい。このような機器名は、ＨＤＭＩ  ＣＥＣにて接続された機器であれば相互に検出することができる。また、このような設定画面は、ＴＶ３が表示させてもよいし、ＳＴＢ１や連携機器５がＴＶ３に表示させてもよい。この設定画面では、各連携機器５について、ＳＴＢ１のクイックスタンバイ状態への移行と連動して動作状態を移行させるように「設定する」か「設定しない」かの何れかに設定することができる。
【００７５】
ＳＴＢ１の外部機器制御部２４は、この設定を記憶しておく。そして、ＳＴＢ１がクイックスタンバイ状態に移行した際に、ＴＶ３をクイックスタンバイ状態に移行させると共に、連動して動作状態を移行させるように設定された連携機器５もクイックスタンバイ状態に移行させる。これにより、ユーザの所望の連携機器５のみをクイックスタンバイ状態に移行させることができる。
【００７６】
なお、何れの連携機器５をクイックスタンバイ状態へ移行させるかは、ＳＴＢ１が判断してもよい。例えば、相対的に使用頻度の高い連携機器５をクイックスタンバイ状態へ移行させ、相対的に使用頻度の低い連携機器５は移行させないようにしてもよい。
【００７７】
〔実施形態３〕
本発明の実施形態３について、図８に基づいて説明する。本実施形態のＳＴＢ１およびＴＶ３は、クイックスタンバイ状態に移行した状態にて、所定の条件（以下、即時起動条件と呼ぶ）を充足している場合には、自動で起動状態に移行する点で上記各実施形態のＳＴＢ１およびＴＶ３と相違している。なお、説明の便宜上、前記実施形態にて説明した部材と同じ機能を有する部材については、同じ符号を付記し、その説明を省略する。
【００７８】
上記即時起動条件としては、該条件を充足した場合にはユーザがコンテンツの視聴を始める可能性が高いと言えるような条件を設定すればよい。例えば、現在時刻が所定の時間帯に含まれること、所定の番組が放送中または現在時刻から所定時間以内に放送されること、および現在時刻から所定時間以内に視聴予約済みの放送番組があること、の少なくとも何れかを即時起動条件としてもよい。また、上記所定の時間帯は、一般的にＴＶ３にてコンテンツが視聴される可能性の高い時間帯（例えばゴールデンタイムと呼ばれるような時間帯）としてもよい。この他にも、例えば、ＴＶ３やＳＴＢ１の使用履歴を記録しておき、該履歴から導出した、コンテンツの視聴頻度の高い時間帯としてもよい。また、上記所定の番組は、予めユーザが設定しておいてもよいし、ユーザの好みのジャンル等の嗜好情報や視聴履歴等に基づいてＳＴＢ１が自動で設定してもよい。
【００７９】
また、ＴＶ３またはＳＴＢ１がユーザに対して提示したいコンテンツや情報を取得していることを即時起動条件としてもよい。例えば、スタンバイ状態に移行した後、受信を開始した放送コンテンツに、地震や台風等の緊急情報が含まれていることを即時起動条件としてもよい。また、例えばＳＴＢ１が外部コンテンツのダウンロードを完了したことや、ユーザの嗜好に適合した新着コンテンツの配信が開始された旨の通知をＳＴＢ１が受信したことを即時起動条件としてもよい。
【００８０】
（処理の流れ）
本実施形態においてＳＴＢ１が実行する処理の流れについて、図８に基づいて説明する。図８は、ＳＴＢ１が実行する処理の一例を示すフローチャートである。なお、図３と同様の処理には同一の番号を付し、その説明は適宜省略する。
【００８１】
Ｓ３でＳＴＢ１をクイックスタンバイ状態に移行させたＳＴＢ側状態制御部２３は、即時起動条件を満たすか否かを判定する（Ｓ４１、条件判定ステップ）。つまり、本実施形態では、ＳＴＢ側状態制御部２３が、即時起動条件を満たすか否かを判定する条件判定部として機能する。なお、ＳＴＢ側状態制御部２３とは別に条件判定部を設けてもよい。ここで、即時起動条件を満たさないと判定した場合（Ｓ４１でＮＯ）には、上記各実施形態と同様にＳ６以下の処理が行われる。
【００８２】
一方、即時起動条件を満たすと判定した場合（Ｓ４１でＹＥＳ）、ＳＴＢ側状態制御部２３は、ＳＴＢ１を起動状態とする。また、外部機器制御部２４は、ＴＶ３に起動指示を送信して、ＴＶ３を起動状態とする（Ｓ７、外部機器制御ステップ）。これにより、即時起動条件を満たす場合には、ユーザは、人感センサ１３の検出範囲に入るだけで、何ら操作を行うことなく、コンテンツの視聴を開始することができる。
【００８３】
なお、Ｓ７で起動したＴＶ３において、放送コンテンツと外部コンテンツの何れを出力するかは、例えば図５に基づいて説明したように予め定めておいてもよい。また、何れを出力するかを、ＳＴＢ１またはＴＶ３が決定してもよい。例えば、充足した即時起動条件がＴＶ３や放送コンテンツに関連するものであれば放送コンテンツを出力してもよい。そして、充足した即時起動条件がＳＴＢ１や外部コンテンツに関連するものであれば外部コンテンツを出力してもよい。さらに、放送コンテンツを出力する場合には、ラストチャンネルの放送コンテンツを出力してもよいし、充足した即時起動条件に応じた放送コンテンツを出力してもよい。後者の場合、例えば視聴予約された放送番組のチャンネルの放送コンテンツを出力してもよい。
【００８４】
（自動起動設定について）
上記の自動起動を行うか否かは、ユーザが設定できるようにすることが好ましい。そして、この設定の際には、例えば図９のような設定画面を表示してもよい。図９は、自動起動の可否を設定する設定画面の一例を示す図である。図示の例では、「常時起動する」「オート」「常時起動しない」の３つの選択肢が表示されている。このような設定画面は、ＴＶ３が表示させてもよいし、ＳＴＢ１がＴＶ３に表示させてもよい。
【００８５】
ＳＴＢ側状態制御部２３は、この設定を記憶しておく。そして、ＳＴＢ１をクイックスタンバイ状態に移行させた後、記憶した上記設定に応じた処理を行う。すなわち、設定が「常時起動する」であれば、即時起動条件を充足するか否かにかかわらず、ＳＴＢ１を起動状態に移行させ、外部機器制御部２４によりＴＶ３を起動状態に移行させる。一方、設定が「常時起動しない」であれば、即時起動条件を充足するか否かにかかわらず、ＳＴＢ１のクイックスタンバイ状態を維持し、ＴＶ３に移行指示は送信しない。そして、設定が「オート」であれば、図８に基づいて説明した処理により、即時起動条件を充足する場合に、ＳＴＢ側状態制御部２３は、ＳＴＢ１を起動状態に移行させ、外部機器制御部２４によりＴＶ３を起動状態に移行させる。
【００８６】
〔変形例〕
上述の各実施形態において、放送コンテンツを出力する場合には、ＳＴＢ１は起動状態からクイックスタンバイ状態または休止状態に移行させてもよい。また、この場合には、ＳＴＢ１は起動状態に移行させずにクイックスタンバイ状態を維持するか、またはクイックスタンバイ状態から休止状態に移行させてもよい。例えば図４の例において、Ｓ２４でＴＶ３の入力をラストチャンネルに切り替えた場合、ＳＴＢ１の外部コンテンツは出力されない。このため、続くＳ７ではＳＴＢ１の外部機器制御部２４がＴＶ３を起動状態に移行させた後、ＳＴＢ側状態制御部２３は、ＳＴＢ１をクイックスタンバイ状態に維持するか、またはクイックスタンバイ状態から休止状態に移行させてもよい。また、同様の制御をＴＶ３が行ってもよく、この場合、入力をラストチャンネルに切り替えたＴＶ３がＳＴＢ１にクイックスタンバイ状態または休止状態への移行指示を送信する。本変形例の構成によれば、放送コンテンツ視聴中におけるＳＴＢ１の消費電力を下げることができる。
【００８７】
なお、ＳＴＢ１を休止状態に移行させた場合、ＳＴＢ１の消費電力は低減されるが、ユーザが出力コンテンツを外部コンテンツに切り替える操作を行ったときに、当該外部コンテンツが出力されるまでの時間は長くなってしまう。このため、ＳＴＢ１を休止状態に戻すか否かは、ユーザが選択できるようにすることが好ましい。例えば、ＳＴＢ１を休止状態に戻すか否かの設定を行う設定画面などを介して、予めユーザに当該設定を行わせておき、この設定内容に応じて放送コンテンツ視聴時にＳＴＢ１を休止状態に戻すか否かを決定してもよい。
【００８８】
また、上記各実施形態では、人感センサにてユーザを検出する例を示したが、ユーザを検出するための構成はこれに限られず、ＳＴＢ１およびＴＶ３の少なくとも何れかの周囲（ＴＶ３の表示画面が視界に入る程度の範囲）のユーザを検出可能なものであればよい。例えば、ＳＴＢ１の周囲をカメラで撮影し、その映像を解析することによってユーザを検出してもよいし、近接センサを用いてユーザの接近を検出してもよい。
【００８９】
さらに、上記各実施形態では、人感センサをＳＴＢ１に設けた例を示したが、人感センサ（あるいは上記のような代替の構成）はコンテンツ出力システム１００に含まれる何れかの装置が備えていればよい。例えば、ＴＶ３が備えていてもよいし、連携機器５等の他の装置が備えていてもよい。
【００９０】
また、上記各実施形態では、各機器がＨＤＭＩにて接続されている例を説明したが、上述の各機器の接続は、上述のようなコンテンツや制御信号の送信が可能な態様で行われていればよく、ＨＤＭＩ接続に限られない。例えば、各機器がＨＤＭＩ以外の有線通信にて接続されていてもよいし、各機器が無線通信接続されていてもよく、また、コンテンツは有線通信にて伝送して制御信号は無線通信にて伝送する等のように、有線通信と無線通信を併用してもよい。
【００９１】
〔ソフトウェアによる実現例〕
ＳＴＢ１およびＴＶ３の制御ブロック（特にＳＴＢ制御部２０およびＴＶ制御部４０）は、集積回路（ＩＣチップ）等に形成された論理回路（ハードウェア）によって実現してもよいし、ＣＰＵ（Central Processing Unit）を用いてソフトウェアによって実現してもよい。
【００９２】
後者の場合、ＳＴＢ１およびＴＶ３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９３】
〔まとめ〕
本発明の態様１に係るソース装置（ＳＴＢ１）は、表示装置（ＴＶ３）と接続され、該表示装置（ＴＶ３）にコンテンツを送信して出力させるソース装置（ＳＴＢ１）であって、ユーザの存在を検出する検出部（監視部２１）と、上記検出部（監視部２１）がユーザの存在を検出した場合に、上記表示装置（ＴＶ３）を休止状態から起動準備状態（クイックスタンバイ状態）に移行させる移行指示部（外部機器制御部２４）と、上記検出部（監視部２１）がユーザの存在を検出した場合に、上記ソース装置（ＳＴＢ１）を休止状態から起動準備状態に移行させる状態制御部（ＳＴＢ側状態制御部２３）と、上記表示装置（ＴＶ３）と上記ソース装置（ＳＴＢ１）とが起動準備状態に移行した状態にて起動指示を受け付けた場合に、該起動指示の対象を判定する対象判定部（ＳＴＢ側コマンド検出部２２）と、上記起動指示の対象が上記表示装置（ＴＶ３）であると判定された場合には上記表示装置（ＴＶ３）に放送コンテンツの出力を開始させ、上記起動指示の対象が上記ソース装置（ＳＴＢ１）であると判定された場合には上記コンテンツの出力を開始させる外部機器制御部（２４）と、を備えている。
【００９４】
上記の構成によれば、表示装置とソース装置とが起動準備状態に移行した状態にて、起動指示を受け付けた場合に、該起動指示の対象が表示装置であるかソース装置であるかを判定する。そして、起動指示の対象が表示装置であると判定した場合には、表示装置に放送コンテンツの出力を開始させ、起動指示の対象がソース装置であると判定した場合には、ソース装置が送信するコンテンツの出力を開始させる。
【００９５】
よって、上記の構成によれば、ユーザの意に沿ったコンテンツを出力することができる。これは、ソース装置を対象として起動指示を行ったユーザは、ソース装置が供給するコンテンツを出力させる意図がある可能性が高く、同様に表示装置を対象として起動指示を行ったユーザは、放送コンテンツを出力させる意図がある可能性が高いためである。
【００９６】
また、上記の構成によれば、ユーザの検出を契機として表示装置とソース装置の双方が休止状態から起動準備状態に移行しているので、何れのコンテンツを出力する場合であっても、休止状態から起動する場合と比べて短時間でコンテンツを出力することができる。すなわち、上記の構成によれば、ユーザの意に沿ったコンテンツを速やかに出力することができるという効果を奏する。
【００９７】
本発明の態様２に係るソース装置は、上記態様１において、上記起動準備状態において上記表示装置への上記コンテンツの送信を開始するコンテンツ処理部（２６）を備え、上記外部機器制御部は、上記起動準備状態において上記表示装置に上記放送コンテンツの取得を開始させてもよい。
【００９８】
上記の構成によれば、起動準備状態において、表示装置へのコンテンツの送信を開始すると共に、表示装置に放送コンテンツの取得を開始させる。よって、起動指示が行われた場合には、放送コンテンツおよびコンテンツの何れでも即座に出力させることが可能になる。
【００９９】
本発明の態様３に係るソース装置は、上記態様１または２において、上記対象判定部は、上記起動指示の送信元が上記ソース装置の遠隔操作装置（ＳＴＢリモコン２）であれば、該起動指示の対象がソース装置であると判定し、上記起動指示の送信元が上記表示装置の遠隔操作装置（ＴＶリモコン４）であれば、該起動指示の対象が表示装置であると判定してもよい。
【０１００】
上記の構成によれば、起動指示の送信元がソース装置の遠隔操作装置であれば、該起動指示の対象がソース装置であると判定し、起動指示の送信元が表示装置の遠隔操作装置であれば、該起動指示の対象が表示装置であると判定する。よって、ユーザは、ソース装置の遠隔操作装置にて起動指示を行うだけで、外部コンテンツを速やかに出力させることができ、同様に表示装置の遠隔操作装置にて起動指示を行うだけで、放送コンテンツを速やかに出力させることができる。
【０１０１】
本発明の態様４に係るソース装置は、上記態様１から３の何れか１項において、上記外部機器制御部は、上記起動準備状態において、上記表示装置の出力設定を上記ソース装置が送信する上記コンテンツに応じた出力設定に切り替えさせてもよい。
【０１０２】
上記の構成によれば、起動準備状態において、表示装置の出力設定をソース装置が送信するコンテンツに応じた出力設定に切り替えさせる。よって、起動時には、コンテンツに応じた出力設定にて、コンテンツを適切に出力させることができる。
【０１０３】
本発明の態様５に係るソース装置は、上記態様１から４の何れか１項において、上記移行指示部は、上記検出部がユーザの存在を検出した場合に、上記表示装置を休止状態から起動準備状態に移行させると共に、上記表示装置にコンテンツを送信する他のソース装置も休止状態から起動準備状態に移行させてもよい。
【０１０４】
上記の構成によれば、ユーザの検出時に、表示装置にコンテンツを送信する他のソース装置も休止状態から起動準備状態に移行させる。よって、ユーザは、他のソース装置からのコンテンツについても、起動時に速やかに表示装置に出力させることができる。
【０１０５】
本発明の態様６に係るソース装置は、表示装置（ＴＶ３）と接続され、該表示装置（ＴＶ３）にコンテンツを送信して出力させるソース装置（ＳＴＢ１）であって、ユーザの存在を検出する検出部（監視部２１）と、上記検出部（監視部２１）がユーザの存在を検出した場合に、上記表示装置（ＴＶ３）を休止状態から起動準備状態（クイックスタンバイ状態）に移行させる移行指示部（外部機器制御部２４）と、上記検出部（監視部２１）がユーザの存在を検出した場合に、上記ソース装置（ＳＴＢ１）を休止状態から起動準備状態に移行させる状態制御部（ＳＴＢ側状態制御部２３）と、上記表示装置（ＴＶ３）と上記ソース装置（ＳＴＢ１）が起動準備状態に移行した状態にて、上記表示装置（ＴＶ３）を起動させる所定の条件を充足しているか否かを判定する条件判定部（ＳＴＢ側状態制御部２３）と、上記条件判定部が上記所定の条件を充足していると判定した場合に、上記表示装置を起動準備状態から起動状態に移行させる外部機器制御部と、を備えている。
【０１０６】
上記の構成によれば、ユーザの検出を契機として表示装置とソース装置が休止状態から起動準備状態に移行した状態にて、表示装置を起動させる所定の条件を充足している場合には、表示装置を起動準備状態から起動状態に移行させる。よって、表示装置を起動させる所定の条件を充足している場合には、ユーザは何らの操作を行うことなく、表示装置を起動させて放送コンテンツを速やかに出力させることができる。
【０１０７】
また、上記の構成によれば、所定の条件を充足していなければ、起動準備状態が維持される。よって、ユーザは起動指示を行うことにより、表示装置とソース装置を起動準備状態から起動状態に移行させて、表示装置に速やかに外部コンテンツを出力させることもできる。すなわち、上記の構成によれば、ユーザの意に沿ったタイミングでコンテンツを速やかに出力することが可能になるという効果を奏する。
【０１０８】
本発明の態様７に係るソース装置は、上記態様６において、上記所定の条件は、現在時刻が所定の時間帯に含まれること、所定の番組が放送中または現在時刻から所定時間以内に放送されること、および現在時刻から所定時間以内に視聴予約済みの放送番組があること、の少なくとも何れかであってもよい。
【０１０９】
上記の構成によれば、上記所定の条件は、現在時刻が所定の時間帯に含まれること、所定の番組が放送中または現在時刻から所定時間以内に放送されること、および現在時刻から所定時間以内に視聴予約済みの放送番組があること、の少なくとも何れかである。よって、ユーザが放送コンテンツの視聴を行う可能性が高いタイミングで、表示装置を自動的に起動させることが可能になる。
【０１１０】
例えば、ユーザが放送コンテンツを視聴する頻度の高いゴールデンタイム等の時間帯を上記所定の時間帯としておくことにより、このような時間帯にユーザを検出した場合には、自動的に表示装置を起動させることができる。また、ユーザが継続的に視聴している番組や、ユーザの嗜好に適合した番組が放送中または現在時刻から所定時間以内に放送される場合に、自動的に表示装置を起動させることも可能になる。さらに、現在時刻から所定時間以内に視聴予約済みの放送番組があり、ユーザがその放送番組を視聴する可能性が非常に高い場合に、自動的に表示装置を起動させることもできる。
【０１１１】
本発明の態様８に係る表示装置（ＴＶ３）は、放送コンテンツと外部のソース装置から受信した外部コンテンツとを少なくとも含む複数のコンテンツのうち少なくとも何れかを出力する表示装置であって、ユーザの検出を契機として上記ソース装置が休止状態から起動準備状態に移行した場合に、上記表示装置を休止状態から起動準備状態に移行させる状態制御部（ＴＶ側状態制御部４２）と、上記起動準備状態において、上記ソース装置を介さずに起動指示を受け付けた場合には出力対象を上記放送コンテンツとし、上記ソース装置から起動指示を受け付けた場合には出力対象を上記外部コンテンツとする出力制御部（４４）と、を備えている。
【０１１２】
上記の構成によれば、ユーザの検出を契機としてソース装置が休止状態から起動準備状態に移行した場合に、表示装置を休止状態から起動準備状態に移行させる。よって、ユーザを検出した後、何れのコンテンツを出力する場合であっても、休止状態から起動する場合と比べて短時間でコンテンツを出力することができる。
【０１１３】
また、上記の構成によれば、起動準備状態において、ソース装置を介さずに起動指示を受け付けた場合には出力対象を上記放送コンテンツとし、ソース装置から起動指示を受け付けた場合には出力対象を外部コンテンツとする。よって、上記の構成によれば、ユーザの意に沿ったコンテンツを出力することができる。これは、ソース装置から起動指示を受け付けた場合には、ユーザが、外部コンテンツを出力させる意図をもってソース装置を操作した可能性が高く、逆にソース装置を介さずに起動指示を受け付けた場合には、ユーザには外部コンテンツを出力させる意図がない可能性が高いためである。すなわち、上記の構成によれば、ユーザの意に沿ったコンテンツを速やかに出力することができるという効果を奏する。
【０１１４】
本発明の態様９に係る表示装置は、上記態様８において、上記起動準備状態において上記放送コンテンツの受信を開始する放送受信制御部（４６）と、上記起動準備状態において上記外部コンテンツの受信を開始するコンテンツ取得部（４５）と、を備え、上記出力制御部は、上記起動準備状態において、受信開始した上記放送コンテンツとソース装置から受信開始した上記外部コンテンツとの何れも出力することなく起動指示を待ち受けてもよい。
【０１１５】
上記の構成によれば、起動準備状態において放送コンテンツと外部コンテンツの双方の受信を開始して、起動指示を待ち受ける。よって、放送コンテンツおよび外部コンテンツの何れについても、起動指示後、速やかに出力することができる。
【０１１６】
本発明の態様１０に係るコンテンツ出力システム（１００）は、放送コンテンツを出力する表示装置（ＴＶ３）と、上記表示装置と接続され、該表示装置にコンテンツを送信して出力させるソース装置（ＳＴＢ１）とを含むコンテンツ出力システムであって、ユーザの存在を検出した場合に、上記表示装置および上記ソース装置を休止状態から起動準備状態に移行させ、上記表示装置と上記ソース装置が起動準備状態に移行した状態にて起動指示を受け付けた場合に、上記起動指示の対象が上記表示装置であれば上記表示装置に上記放送コンテンツの出力を開始させ、上記起動指示の対象が上記ソース装置であれば上記表示装置に上記コンテンツの出力を開始させる。該構成によれば、上記態様１と同様の作用効果を奏する。
【０１１７】
本発明の態様１１に係るコンテンツ出力システム（１００）は、放送コンテンツを出力する表示装置（ＴＶ３）と、上記表示装置と接続され、該表示装置にコンテンツを送信して出力させるソース装置（ＳＴＢ１）とを含むコンテンツ出力システムであって、ユーザの存在を検出した場合に、上記表示装置および上記ソース装置を休止状態から起動準備状態に移行させ、上記表示装置と上記ソース装置が起動準備状態に移行した状態にて、上記表示装置を起動させる所定の条件を充足している場合には、上記表示装置を起動準備状態から起動状態に移行させる。該構成によれば、上記態様６と同様の作用効果を奏する。
【０１１８】
本発明の態様１２に係るソース装置（ＳＴＢ１）の制御方法は、表示装置（ＴＶ３）と接続され、該表示装置にコンテンツを送信して出力させるソース装置の制御方法であって、ユーザの存在を検出する検出ステップ（Ｓ２）と、上記検出ステップにてユーザの存在を検出した場合に、上記表示装置を休止状態から起動準備状態に移行させる移行指示ステップ（Ｓ４）と、上記検出ステップにてユーザの存在を検出した場合に、上記ソース装置を休止状態から起動準備状態に移行させる状態制御ステップ（Ｓ３）と、上記表示装置と上記ソース装置が起動準備状態に移行した状態にて起動指示を受け付けた場合に、該起動指示の対象を判定する対象判定ステップ（Ｓ２２）と、上記起動指示の対象が上記表示装置であると判定された場合には上記表示装置に放送コンテンツの出力を開始させ、上記起動指示の対象が上記ソース装置であると判定された場合には上記表示装置に上記コンテンツの出力を開始させる外部機器制御ステップ（Ｓ７）と、を含む。該構成によれば、上記態様１と同様の作用効果を奏する。
【０１１９】
本発明の態様１３に係るソース装置（ＳＴＢ１）の制御方法は、表示装置（ＴＶ３）と接続され、該表示装置にコンテンツを送信して出力させるソース装置の制御方法であって、ユーザの存在を検出する検出ステップ（Ｓ２）と、上記検出ステップにてユーザの存在を検出した場合に、上記表示装置を休止状態から起動準備状態に移行させる移行指示ステップ（Ｓ４）と、上記検出ステップにてユーザの存在を検出した場合に、上記ソース装置を休止状態から起動準備状態に移行させる状態制御ステップ（Ｓ３）と、上記表示装置と上記ソース装置が起動準備状態に移行した状態にて、上記表示装置を起動させる所定の条件を充足しているか否かを判定する条件判定ステップ（Ｓ４１）と、上記条件判定ステップにて上記所定の条件を充足していると判定された場合に、上記表示装置を起動準備状態から起動状態に移行させる外部機器制御ステップ（Ｓ７）と、を含む。該構成によれば、上記態様６と同様の作用効果を奏する。
【０１２０】
本発明の態様１４に係る表示装置（ＴＶ３）の制御方法は、放送コンテンツと外部のソース装置（ＳＴＢ１）から受信した外部コンテンツとを少なくとも含む複数のコンテンツのうち少なくとも何れかを出力する表示装置の制御方法であって、の検出を契機として上記ソース装置が休止状態から起動準備状態に移行した場合に、上記表示装置を休止状態から起動準備状態に移行させる状態制御ステップと、上記起動準備状態において、上記ソース装置を介さずに起動指示を受け付けた場合には出力対象を上記放送コンテンツとし、上記ソース装置から起動指示を受け付けた場合には出力対象を上記外部コンテンツとする出力制御ステップと、を含む。該構成によれば、上記態様８と同様の作用効果を奏する。
【０１２１】
本発明の上記各態様に係るソース装置（ＳＴＢ１）および表示装置（ＴＶ３）は、コンピュータによって実現してもよく、この場合には、コンピュータを上記ソース装置または表示装置が備える各部（ソフトウェア要素）として動作させることにより上記ソース装置または表示装置をコンピュータにて実現させるソース装置の制御プログラム、表示装置の制御プログラム、およびこれら何れかの制御プログラムを記録したコンピュータ読み取り可能な記録媒体も、本発明の範疇に入る。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２３】
１  ＳＴＢ（ソース装置）
２１  監視部（検出部）
２２  ＳＴＢ側コマンド検出部（対象判定部）
２３  ＳＴＢ側状態制御部（状態制御部、条件判定部）
２４  外部機器制御部（移行指示部）
２６  コンテンツ処理部
２  ＳＴＢリモコン（ソース装置の遠隔操作装置）
３  ＴＶ（表示装置）
４２  ＴＶ側状態制御部（状態制御部）
４４  出力制御部
４５  コンテンツ取得部
４６  放送受信制御部
４  ＴＶリモコン（表示装置の遠隔操作装置）
５  連携機器（他のソース装置）
【図１】
2017184065.tif 000003
【図２】
2017184065.tif 000004
【図３】
2017184065.tif 000005
【図４】
2017184065.tif 000006
【図５】
2017184065.tif 000007
【図６】
2017184065.tif 000008
【図７】
2017184065.tif 000009
【図８】
2017184065.tif 000010
【図９】
2017184065.tif 000011